(57)【要約】【課題】所望の明るさの画像を表示させることができる表示装置、電子機器及び表示装置の駆動方法を提供する。【解決手段】画像表示パネルと、画像表示パネルに対して照明する光源と、光源に入力する信号と光源が画像表示パネルに向けて出力する光の強度との関係を示す情報を記憶しており、入力信号に基づいて、光源から出力する光量を算出し、情報と、算出した光量とに基づいて、光源に入力する信号を算出し、光源の明るさを制御する制御部と、を備え、情報は、実特性と目標特性との関係のずれを補正するための情報である。【選択図】図１
2015203809.tif 000002
【特許請求の範囲】
【請求項１】
画像表示パネルと、
前記画像表示パネルに対して照明する光源と、
前記光源に入力する信号と前記光源が前記画像表示パネルに向けて出力する光の強度との関係を示す情報を記憶しており、入力信号に基づいて、前記光源から出力する光量を算出し、前記情報と、算出した光量とに基づいて、前記光源に入力する信号を算出し、前記光源の明るさを制御する制御部と、を備え、
前記情報は、実特性と目標特性との関係のずれを補正するための情報である表示装置。
【請求項２】
前記画像表示パネルは、行列状に配列された画素は、第１の色を表示する第１副画素、第２の色を表示する第２副画素、第３の色を表示する第３副画素及び第４の色を表示する第４副画素が２次元マトリクス状に配列され、
前記制御部は、前記入力信号の各副画素の信号に基づいて、前記入力信号に対する伸張係数αを算出し、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力する請求項１に記載の表示装置。
【請求項３】
前記情報は、入力信号に基づき算出された前記補正前の光源に入力する信号をｘ、補正後の光源に入力する信号をｙとした場合において、これらの信号をそれぞれ正規化した最大値を示す点を基準として、補正を行う請求項１または２に記載の表示装置。
【請求項４】
前記情報は、入力信号をｘとし、出力信号をｙとし、これらの信号を正規化して最大値を１とした場合においてｙ＝１−（１−ｘ）ａ＋ｂを満足する請求項１または２に記載の表示装置。
【請求項５】
前記制御部は、前記情報と、算出した光量とに基づいて、前記光源に入力する信号を算出し、前記光源の明るさを制御する演算処理部と、入力信号に基づいて前記画像表示パネルに出力する信号を生成する演算処理部と、が同一の制御回路に配置されている請求項１から４のいずれか一項に記載の表示装置。
【請求項６】
前記情報は、実特性と目標特性との関係のずれが原点を基準として補正するための情報である請求項１から５のいずれか一項に記載の表示装置。
【請求項７】
温度センサをさらに有し、
前記制御部は、前記温度センサで検出した結果に基づいて、使用する前記情報を決定する請求項１から６のいずれか一項に記載の表示装置。
【請求項８】
タイマ部をさらに有し、
前記制御部は、前記タイマ部で検出した経過時間に基づいて、使用する前記関係を決定する請求項１から７のいずれか一項に記載の表示装置。
【請求項９】
請求項１から請求項８のいずれか１項に記載の表示装置を備える電子機器。
【請求項１０】
画像表示パネルと、
前記画像表示パネルに対して照明する光源と、を備える表示装置の駆動方法であって、
入力信号に基づいて、前記光源から出力する光量を算出するステップと、
前記光源に入力する信号と前記光源が前記画像表示パネルに向けて出力する光の強度との関係を示す情報と、算出した光量とに基づいて、前記光源に入力する信号を算出するステップと、を有し、
前記情報は、実特性と目標特性との関係のずれを補正するための情報である表示装置の駆動方法。
【発明の詳細な説明】
【技術分野】
【０００１】
本発明は、表示装置、電子機器及び表示装置の駆動方法に関する。
【背景技術】
【０００２】
近年、携帯電話及び電子ペーパー等のモバイル機器向け等の表示装置の需要が高くなっている。表示装置では、１つの画素が複数の副画素を備え、当該複数の副画素がそれぞれ異なる色の光を出力し、当該副画素の表示のオン及びオフを切り換えることで、１つの画素で種々の色を表示させている。表示装置としては、赤、緑、青の副画素で画像を表示させる装置や、赤、緑、青の副画素に第４の副画素である白画素を加える装置がある（例えば、特許文献１）。赤、緑、青の副画素に第４の副画素である白画素を加える装置は、白画素が輝度を向上させる分、面状光源（バックライト）の電流値を下げ、消費電力を低減することができる。
【先行技術文献】
【特許文献】
【０００３】
【特許文献１】特開２０１０−３３０１４号公報
【発明の概要】
【発明が解決しようとする課題】
【０００４】
ここで、表示装置は、特許文献１のように表示させる画像と白画素の利用状態に応じて、面状光源から表示パネルに入射する光の光量を制御する場合や、表示する画像の明るさを調整するために、面状光源から表示パネルに入射する光の光量を制御する場合等、種々の場合で面状光源から出力する光量を調整する。このとき、表示装置は、目標の光の強度と実際に面状光源から出力される光との間にずれがあると、目的の画像と実際に表示される画像に差が生じてしまう。
【０００５】
本態様は、所望の明るさの画像を表示させることができる表示装置、電子機器及び表示装置の駆動方法を提供することを目的とする。
【課題を解決するための手段】
【０００６】
本態様の表示装置は、画像表示パネルと、前記画像表示パネルに対して照明する光源と、前記光源に入力する信号と前記光源が前記画像表示パネルに向けて出力する光の強度との関係を示す情報を記憶しており、入力信号に基づいて、前記光源から出力する光量を算出し、前記情報と、算出した光量とに基づいて、前記光源に入力する信号を算出し、前記光源の明るさを制御する制御部と、を備え、前記情報は、実特性と目標特性との関係のずれを補正するための情報である。
【０００７】
本態様の電子機器は、上述した本態様の表示装置を備える。
【０００８】
本態様の表示装置の駆動方法は、画像表示パネルと、前記画像表示パネルに対して照明する光源と、を備える表示装置の駆動方法であって、入力信号に基づいて、前記光源から出力する光量を算出するステップと、前記光源に入力する信号と前記光源が前記画像表示パネルに向けて出力する光の強度との関係を示す情報と、算出した光量とに基づいて、前記光源に入力する信号を算出するステップと、を有し、前記情報は、実特性と目標特性との関係のずれを補正するための情報である。
【図面の簡単な説明】
【０００９】
【図１】図１は、本実施形態に係る表示装置の構成の一例を示すブロック図である。
【図２】図２は、本実施形態に係る画像表示パネルの画素配列を示す図である。
【図３】図３は、本実施形態の表示装置で再現可能な再現ＨＳＶ色空間の概念図である。
【図４】図４は、再現ＨＳＶ色空間の色相と彩度との関係を示す概念図である。
【図５】図５は、本実施形態に係る信号処理部を説明するためのブロック図である。
【図６】図６は、本実施形態に係る表示装置の駆動方法のフローチャートである。
【図７】図７は、光源に印加する入力ＰＷＭと光源装置の輝度との関係を示すグラフである。
【図８】図８は、入力ＰＷＭと出力ＰＷＭとの関係を示すグラフである。
【図９】図９は、光源に印加する入力ＰＷＭと光源装置の輝度との関係を示すグラフである。
【図１０】図１０は、入力ＰＷＭと出力ＰＷＭとの関係の調整方法を説明するためのグラフである。
【図１１】図１１は、入力ＰＷＭと出力ＰＷＭとの関係の調整方法を説明するためのグラフである。
【図１２】図１２は、光源に印加する入力ＰＷＭと光源装置の輝度との関係を示すグラフである。
【図１３】図１３は、入力ＰＷＭと出力ＰＷＭとの関係を示すグラフである。
【発明を実施するための形態】
【００１０】
以下、発明を実施するための形態について、図面を参照して詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１１】
（表示装置の構成）
図１は、本実施形態に係る表示装置の構成の一例を示すブロック図である。図２は、本実施形態に係る画像表示パネルの画素配列を示す図である。
【００１２】
図１に示すように、表示装置１０は、画像出力部１１からの画像の入力信号ＳＲＧＢが入力され、表示装置１０の各部に出力信号ＳＲＧＢＷを送り、動作を制御する信号処理部２０と、信号処理部２０から出力された出力信号ＳＲＧＢＷに基づいて画像を表示させる画像表示パネル（表示部）３０と、画像表示パネル３０の駆動を制御する画像表示パネル駆動部４０と、画像表示パネル３０に対して照明する光源装置５０と、光源装置５０の駆動を制御する光源装置制御部６０と、を備える。
【００１３】
信号処理部２０は、画像表示パネル３０及び光源装置５０の動作を制御する演算処理部である。信号処理部２０は、画像表示パネル３０を駆動するための画像表示パネル駆動部４０、及び、光源装置５０を駆動するための光源装置制御部６０と接続されている。信号処理部２０は、外部から入力される入力信号を処理して出力信号及び光源装置制御信号を生成する。つまり、信号処理部２０は、入力信号の入力ＨＳＶ色空間の入力値（入力信号）を、第１の色、第２の色、第３の色及び第４の色で再現される再現ＨＳＶ色空間の再現値（出力信号）に変換して生成し、生成した出力信号を画像表示パネル３０に出力する。信号処理部２０は、生成した出力信号を画像表示パネル駆動部４０に出力し、生成した光源装置制御信号を光源装置制御部６０に出力する。
【００１４】
図１に示すように、画像表示パネル３０は、画素４８が、Ｐ０×Ｑ０個（行方向にＰ０個、列方向にＱ０個）、２次元のマトリクス状（行列状）に配列されている。図１に示す例は、ＸＹの２次元座標系に複数の画素４８がマトリクス状に配列されている例を示している。この例において、行方向がＸ方向、列方向はＹ方向である。
【００１５】
画素４８は、第１副画素４９Ｒと、第２副画素４９Ｇと、第３副画素４９Ｂと、第４副画素４９Ｗとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。第４副画素４９Ｗは、第４の色（具体的には白色）を表示する。このように、画像表示パネル３０に行列状に配列された画素４８は、第１の色を表示する第１副画素４９Ｒ、第２の色を表示する第２副画素４９Ｇ、第３の色を表示する第３副画素４９Ｂ及び第４の色を表示する第４副画素４９Ｗを含む。第１の色、第２の色、第３の色及び第４の色は、第１原色、第２原色、第３原色及び白色に限られず、補色など色が異なっていればよい。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るいことが好ましい。以下において、第１副画素４９Ｒと、第２副画素４９Ｇと、第３副画素４９Ｂと、第４副画素４９Ｗとをそれぞれ区別する必要がない場合、副画素４９という。
【００１６】
表示装置１０は、より具体的には、透過型のカラー液晶表示装置である。図２に示すように、画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。第４副画素４９Ｗには、カラーフィルタの代わりに透明な樹脂層が備えられていてもよい。このように画像表示パネル３０は、透明な樹脂層を設けることで、第４副画素４９Ｗにカラーフィルタを設けないことによって第４副画素４９Ｗに大きな段差が生じることを抑制することができる。
【００１７】
図１及び図２に示す画像表示パネル駆動部４０は、本実施形態の制御部に含まれ、信号出力回路４１及び走査回路４２を備えている。画像表示パネル駆動部４０は、信号出力回路４１によって映像信号を保持し、順次、画像表示パネル３０に出力する。信号出力回路４１は、信号線ＤＴＬによって画像表示パネル３０と電気的に接続されている。画像表示パネル駆動部４０は、走査回路４２によって、画像表示パネル３０における副画素を選択し、副画素の動作（光透過率）を制御するためのスイッチング素子（例えば、薄膜トランジスタ（ＴＦＴ；Thin Film Transistor））のオン及びオフを制御する。走査回路４２は、走査線ＳＣＬによって画像表示パネル３０と電気的に接続されている。
【００１８】
光源装置５０は、各種光源を有するバックライトであり、画像表示パネル３０の背面に配置される。光源装置５０は、光源からの画像表示パネル３０に向けて光を照射することで、画像表示パネル３０を照明する。
【００１９】
光源装置制御部６０は、信号処理部２０から出力される光源装置制御信号に基づいて、光源装置５０の光源の点灯量及び／又は負荷を制御し、光源装置５０から画像表示パネル３０に照射する光の光量及び強度を調整する。また、光源装置制御部６０は、複数の光源のうち、一部の光源の点灯量及び／又は負荷を制御して光の光源及び強度を制御することも可能である。
【００２０】
光源装置５０は、画像表示パネル３０に向けて光を照射する。光源装置５０は、例えば、導光板と、この導光板の端面の近傍に配置された光源とを備える。光源として、一方向に沿って所定の間隔で並設された点光源としてのＬＥＤや、冷陰極管を用いることができる。また、光源装置５０は、導光板の出射面側には、光学シート類を配置し、導光板の出射面の反対側の面には、反射シートを配置してもよい。光源装置５０は、導光板の側面から光を入射するいわゆるサイドライト型ではなく、導光板の背面に光源を配置してもよい。また、光源装置５０は、導光板を備えていなくてもよい。また、光源装置は、面状光源装置に限らず、点発光や分割駆動されてもよいし、表示パネルに対する光源の位置についても背面に限らず、フロントライトのように表示パネルに対して表面であってもよい。
【００２１】
光源装置制御部６０は、光源装置５０から出力する光の光量等を制御する。光源装置制御部６０は、本実施形態の制御部に含まれる。具体的には、光源装置制御部６０は、信号処理部２０から出力される光源装置制御信号ＳＢＬに基づいて光源装置５０に供給する電流又は電流のデューティ比（ｄｕｔｙ比）を調整することで、画像表示パネル３０を照射する光の光量（光の強度）を制御する。
【００２２】
（表示装置の処理動作）
図３は、本実施形態の表示装置で再現可能な再現ＨＳＶ色空間の概念図である。図４は、再現ＨＳＶ色空間の色相と彩度との関係を示す概念図である。図５は、本実施形態に係る信号処理部を説明するためのブロック図である。図１に示すように、信号処理部２０は、外部の画像出力部１１から表示する画像の情報である入力信号ＳＲＧＢが入力される。図６は、本実施形態に係る表示装置の駆動方法のフローチャートである。入力信号ＳＲＧＢは、各画素に対して、その位置で表示する画像（色）の情報を入力信号として含んでいる。具体的には、Ｐ０×Ｑ０個の画素４８がマトリクス状に配置された画像表示パネル３０において、第（ｐ、ｑ）番目の画素４８（ただし、１≦ｐ≦Ｐ０、１≦ｑ≦Ｑ０）に対して、信号値がｘ１−（ｐ、ｑ）の第１副画素４９Ｒの入力信号、信号値がｘ２−（ｐ、ｑ）の第２副画素４９Ｇの入力信号及び信号値がｘ３−（ｐ、ｑ）の第３副画素４９Ｂの入力信号（図１参照）が含まれる信号が信号処理部２０に入力される。図５に示すように、信号処理部２０は、タイミング生成部２１と、画像処理部２２と、画像解析部２３と、光源駆動演算部２４と、光源駆動値決定部２６と、変換基準データ２８と、タイマ部２９と、を含む。また、信号処理部２０は、表示装置１０に設けられ、表示装置１０の温度を検出する温度センサ７０が接続されている。
【００２３】
図１及び図５に示す信号処理部２０は、図６に示すように、入力信号ＳＲＧＢを検出する（ステップＳ１１）。そして、タイミング生成部２１は、入力信号ＳＲＧＢを処理することで、１フレーム毎に画像表示パネル駆動部４０と、光源装置制御部６０とのタイミングを同期する同期信号ＳＴＭを画像表示パネル駆動部４０及び光源装置制御部６０へ送出する。信号処理部２０の画像処理部２２は、入力信号ＳＲＧＢを処理することで、第１副画素４９Ｒの表示階調を決定するための第１副画素の出力信号（信号値Ｘ１−（ｐ、ｑ））、第２副画素４９Ｇの表示階調を決定するための第２副画素の出力信号（信号値Ｘ２−（ｐ、ｑ））、第３副画素４９Ｂの表示階調を決定するための第３副画素の出力信号（信号値Ｘ３−（ｐ、ｑ））及び第４副画素４９Ｗの表示階調を決定するための第４副画素の出力信号（信号値Ｘ４−（ｐ、ｑ））を生成し、画像表示パネル駆動部４０に出力する表示データの演算ステップ（ステップＳ１６）を処理する。以下、本実施形態に係る表示データの演算ステップ（ステップＳ１６）について詳細に説明する。なお、演算処理ステップの一部の処理は、画像解析ステップ（ステップＳ１２）として実行される。
【００２４】
表示装置１０は、画素４８に第４の色（白色）を出力する第４副画素４９Ｗを備えることで、図３に示すように、ＨＳＶ色空間（再現ＨＳＶ色空間）における明度のダイナミックレンジを広げることができる。つまり、図３に示すように、第１副画素４９Ｒ、第２副画素４９Ｇ及び第３副画素４９Ｂが表示することのできる円柱形状のＨＳＶ色空間に、彩度Ｓが高くなるほど明度Ｖの最大値が低くなる略台形形状となる立体が載っている形状となる。
【００２５】
第４の色（白色）を加えることで拡大されたＨＳＶ色空間における彩度Ｓを変数とした明度の最大値Ｖｍａｘ（Ｓ）が、信号処理部２０に記憶されている。つまり、信号処理部２０は、図３に示すＨＳＶ色空間の立体形状について、彩度Ｓ及び色相Ｈの座標（値）毎に明度の最大値Ｖｍａｘ（Ｓ）の値を記憶している。入力信号は、第１副画素４９Ｒ、第２副画素４９Ｇ及び第３副画素４９Ｂの入力信号を有するため、入力信号のＨＳＶ色空間は、円柱形状、つまり、再現ＨＳＶ色空間の円柱形状部分と同じ形状となる。
【００２６】
次に、信号処理部２０の画像処理部２２は、少なくとも第１副画素４９Ｒの入力信号（信号値ｘ１−（ｐ、ｑ））及び伸張係数αに基づいて、第１副画素４９Ｒの出力信号（信号値Ｘ１−（ｐ、ｑ））を算出し、第１副画素４９Ｒへ出力する。また、信号処理部２０は、少なくとも第２副画素４９Ｇの入力信号（信号値ｘ２−（ｐ、ｑ））及び伸張係数αに基づいて第２副画素４９Ｇの出力信号（信号値Ｘ２−（ｐ、ｑ））を算出し、第２副画素４９Ｇへ出力する。また、信号処理部２０は、少なくとも第３副画素４９Ｂの入力信号（信号値ｘ３−（ｐ、ｑ））及び伸張係数αに基づいて第３副画素４９Ｂの出力信号（信号値Ｘ３−（ｐ、ｑ））を算出し、第３副画素４９Ｂへ出力する。さらに、信号処理部２０は、第１副画素４９Ｒの入力信号（信号値ｘ１−（ｐ、ｑ））、第２副画素４９Ｇの入力信号（信号値ｘ２−（ｐ、ｑ））及び第３副画素４９Ｂの入力信号（信号値ｘ３−（ｐ、ｑ））に基づいて第４副画素４９Ｗの出力信号（信号値Ｘ４−（ｐ、ｑ））を算出し、第４副画素４９Ｗへ出力する。ここで、本実施形態の信号処理部２０は、画像解析部２３で入力信号の解析を行うことで、伸長係数αを算出する。
【００２７】
具体的には、信号処理部２０の画像処理部２２は、第１副画素４９Ｒの伸張係数α及び第４副画素４９Ｗの出力信号に基づいて第１副画素４９Ｒの出力信号を算出し、第２副画素４９Ｇの伸張係数α及び第４副画素４９Ｗの出力信号に基づいて第２副画素４９Ｇの出力信号を算出し、第３副画素４９Ｂの伸張係数α及び第４副画素４９Ｗの出力信号に基づいて第３副画素４９Ｂの出力信号を算出する。
【００２８】
つまり、信号処理部２０は、χを表示装置に依存した定数としたとき、第（ｐ、ｑ）番目の画素（又は第１副画素４９Ｒ、第２副画素４９Ｇ及び第３副画素４９Ｂの組）への第１副画素４９Ｒの出力信号である信号値Ｘ１−（ｐ、ｑ）、第２副画素４９Ｇの出力信号である信号値Ｘ２−（ｐ、ｑ）及び第３副画素４９Ｂの出力信号である信号値Ｘ３−（ｐ、ｑ）を、次に示す式（１）〜式（３）から求める。
【００２９】
Ｘ１−（ｐ、ｑ）＝α・ｘ１−（ｐ、ｑ）−χ・Ｘ４−（ｐ、ｑ）・・・（１）
【００３０】
Ｘ２−（ｐ、ｑ）＝α・ｘ２−（ｐ、ｑ）−χ・Ｘ４−（ｐ、ｑ）・・・（２）
【００３１】
Ｘ３−（ｐ、ｑ）＝α・ｘ３−（ｐ、ｑ）−χ・Ｘ４−（ｐ、ｑ）・・・（３）
【００３２】
信号処理部２０は、第４の色を加えることで拡大されたＨＳＶ色空間における彩度Ｓを変数とした明度の最大値Ｖｍａｘ（Ｓ）と、複数の画素４８における副画素４９の入力信号値に基づき、これらの複数の画素４８における彩度Ｓ及び明度Ｖ（Ｓ）を求める。ここで、彩度Ｓを変数とした明度の最大値Ｖｍａｘ（Ｓ）は、予め算出され記憶部に記憶されている。また、信号処理部２０は、明度Ｖ（Ｓ）と伸長係数αの積から求められた伸長された明度の値が最大値Ｖｍａｘ（Ｓ）を超える画素の全画素に対する割合が限界値β（Ｌｉｍｉｔ値）以下となるように伸長係数αを決定してもよい。つまり、信号処理部２０は、伸張された明度の値のうち明度の最大値を超える値が、最大値Ｖｍａｘ（Ｓ）に限界値βをかけた値を超えない範囲で、伸張係数αを決定する。ここで、限界値βは、色相及び彩度の値の組み合わせにおいて再現ＨＳＶ色空間の明度の最大値に対して当該最大値を超える幅の割合の上限の値（割合）となる。なお、限界値βは、色空間の領域に毎、例えば、ＨＳＶ色空間の彩度、色相、明度の領域を複数の領域に分け、異なる値を設定してもよい。
【００３３】
彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができる。ｎは、表示階調ビット数である。また、Ｍａｘは、画素４８への第１副画素４９Ｒの入力信号値、第２副画素４９Ｇの入力信号値及び第３副画素４９Ｂの入力信号値のうち、最大値である。Ｍｉｎは、画素４８への第１副画素４９Ｒの入力信号値、第２副画素４９Ｇの入力信号値及び第３副画素４９Ｂの入力信号値のうち、最小値である。また、色相Ｈは、図４に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。
【００３４】
本実施形態において、第４画素の出力信号である信号値Ｘ４−（ｐ、ｑ）は、Ｍｉｎ（ｐ、ｑ）と伸張係数αとの積に基づき求めることができる。具体的には、下記の式（４）に基づいて信号値Ｘ４−（ｐ、ｑ）を求めることができる。式（４）では、Ｍｉｎ（ｐ、ｑ）と伸張係数αとの積をχで除しているが、これに限定するものではない。χについては後述する。
【００３５】
Ｘ４−（ｐ、ｑ）＝Ｍｉｎ（ｐ、ｑ）・α／χ・・・（４）
【００３６】
第（ｐ、ｑ）番目の画素において、第１副画素４９Ｒの入力信号（信号値ｘ１−（ｐ、ｑ））、第２副画素４９Ｇの入力信号（信号値ｘ２−（ｐ、ｑ））及び第３副画素４９Ｂの入力信号（信号値ｘ３−（ｐ、ｑ））に基づき、ＨＳＶ色空間における彩度（Saturation）Ｓ（ｐ、ｑ）及び明度（Brightness）Ｖ（Ｓ）（ｐ、ｑ）は、次の式（５）、式（６）から求めることができる。
【００３７】
Ｓ（ｐ、ｑ）＝（Ｍａｘ（ｐ、ｑ）−Ｍｉｎ（ｐ、ｑ））／Ｍａｘ（ｐ、ｑ）・・・（５）
【００３８】
Ｖ（Ｓ）（ｐ、ｑ）＝Ｍａｘ（ｐ、ｑ）・・・（６）
【００３９】
ここで、Ｍａｘ（ｐ、ｑ）は、（ｘ１−（ｐ、ｑ）、ｘ２−（ｐ、ｑ）、ｘ３−（ｐ、ｑ））の３個の副画素４９の入力信号値の最大値であり、Ｍｉｎ（ｐ、ｑ）は、（ｘ１−（ｐ、ｑ）、ｘ２−（ｐ、ｑ）、ｘ３−（ｐ、ｑ））の３個の副画素４９の入力信号値の最小値である。本実施形態ではｎ＝８とした。すなわち、表示階調ビット数を８ビット（表示階調の値を０から２５５の２５６階調）とした。
【００４０】
白色を表示する第４副画素４９Ｗには、カラーフィルタが配置されていない。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度ＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置に依存した定数としたとき、定数χは、χ＝ＢＮ４／ＢＮ１−３で表される。
【００４１】
具体的には、第１副画素４９Ｒ、第２副画素４９Ｇ及び第３副画素４９Ｂの集合体に、次の表示階調の値を有する入力信号として、信号値ｘ１−（ｐ、ｑ）＝２５５、信号値ｘ２−（ｐ、ｑ）＝２５５、信号値ｘ３−（ｐ、ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、本実施形態にあっては、χ＝１．５である。
【００４２】
ところで、信号値Ｘ４−（ｐ、ｑ）が、上述した式（４）で与えられる場合、Ｖｍａｘ（Ｓ）は、次の式（７）、式（８）で表すことができる。
【００４３】
Ｓ≦Ｓ０の場合、
Ｖｍａｘ（Ｓ）＝（χ＋１）・（２ｎ−１）・・・（７）
【００４４】
Ｓ０＜Ｓ≦１の場合：
Ｖｍａｘ（Ｓ）＝（２ｎ−１）・（１／Ｓ）・・・（８）
ここで、Ｓ０＝１／（χ＋１）である。
【００４５】
このようにして得られた、第４の色を加えることによって拡大されたＨＳＶ色空間における彩度Ｓを変数とした明度の最大値Ｖｍａｘ（Ｓ）が、例えば、信号処理部２０に一種のルックアップテ−ブルとして記憶されている。なお、本実施形態では、予め算出して記憶させたが、拡大されたＨＳＶ色空間における彩度Ｓを変数とした明度の最大値Ｖｍａｘ（Ｓ）を都度、信号処理部２０において算出するようにしてもよい。
【００４６】
次に、第（ｐ、ｑ）番目の画素４８における出力信号である信号値Ｘ１−（ｐ、ｑ）、Ｘ２−（ｐ、ｑ）、Ｘ３−（ｐ、ｑ）、Ｘ４−（ｐ、ｑ）の求め方（伸張処理）を説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてが０である場合又は小さい場合、このような画素４８又は画素４８の群を含めることなく、伸張係数αを求めればよい。
【００４７】
（第１工程）
まず、信号処理部２０は、複数の画素４８における副画素４９の入力信号値に基づき、これらの複数の画素４８における彩度Ｓ及び明度Ｖ（Ｓ）を求める。具体的には、第（ｐ、ｑ）番目の画素４８への第１副画素４９Ｒの入力信号である信号値ｘ１−（ｐ、ｑ）、第２副画素４９Ｇの入力信号である信号値ｘ２−（ｐ、ｑ）、第３副画素４９Ｂの入力信号である信号値ｘ３−（ｐ、ｑ）に基づき、式（７）及び式（８）からＳ（ｐ、ｑ）、Ｖ（Ｓ）（ｐ、ｑ）を求める。信号処理部２０は、この処理を、すべての画素４８に対して行う。
【００４８】
（第２工程）
次いで、信号処理部２０は、複数の画素４８において求められたＶｍａｘ（Ｓ）／Ｖ（Ｓ）に基づき伸張係数α（Ｓ）を求める。
【００４９】
α（Ｓ）＝Ｖｍａｘ（Ｓ）／Ｖ（Ｓ）・・・（９）
【００５０】
（第３工程）
次に、信号処理部２０は、第（ｐ、ｑ）番目の画素４８における信号値Ｘ４−（ｐ、ｑ）を、少なくとも、信号値ｘ１−（ｐ、ｑ）、信号値ｘ２−（ｐ、ｑ）及び信号値ｘ３−（ｐ、ｑ）に基づいて求める。本実施形態にあっては、信号処理部２０は、信号値Ｘ４−（ｐ、ｑ）を、Ｍｉｎ（ｐ、ｑ）、伸張係数α及び定数χに基づいて決定する。より具体的には、信号処理部２０は、上述したとおり、信号値Ｘ４−（ｐ、ｑ）を、上記の式（４）に基づいて求める。信号処理部２０は、Ｐ０×Ｑ０個の全画素４８において信号値Ｘ４−（ｐ、ｑ）を求める。
【００５１】
（第４工程）
その後、信号処理部２０は、第（ｐ、ｑ）番目の画素４８における信号値Ｘ１−（ｐ、ｑ）を、信号値ｘ１−（ｐ、ｑ）、伸張係数α及び信号値Ｘ４−（ｐ、ｑ）に基づき求め、第（ｐ、ｑ）番目の画素４８における信号値Ｘ２−（ｐ、ｑ）を、信号値ｘ２−（ｐ、ｑ）、伸張係数α及び信号値Ｘ４−（ｐ、ｑ）に基づき求め、第（ｐ、ｑ）番目の画素４８における信号値Ｘ３−（ｐ、ｑ）を、信号値ｘ３−（ｐ、ｑ）、伸張係数α及び信号値Ｘ４−（ｐ、ｑ）に基づき求める。具体的には、信号処理部２０は、第（ｐ、ｑ）番目の画素４８における信号値Ｘ１−（ｐ、ｑ）、信号値Ｘ２−（ｐ、ｑ）及び信号値Ｘ３−（ｐ、ｑ）を、上記の式（１）〜（３）に基づいて求める。
【００５２】
信号処理部２０は、式（４）に示したとおり、Ｍｉｎ（ｐ、ｑ）の値を伸張係数αによって伸張する。このように、Ｍｉｎ（ｐ、ｑ）の値が伸張係数αによって伸張されることで、白色表示副画素（第４副画素４９Ｗ）の輝度が増加するだけでなく、上記式に示すとおり、赤色表示副画素、緑色表示副画素及び青色表示副画素（それぞれ第１副画素４９Ｒ、第２副画素４９Ｇ及び第３副画素４９Ｂに対応する）の輝度も増加する。このため、色のくすみが発生するといった問題を回避することができる。すなわち、Ｍｉｎ（ｐ、ｑ）の値が伸張されていない場合と比較して、Ｍｉｎ（ｐ、ｑ）の値が伸張係数αによって伸張されることで、画像全体として輝度はα倍となる。したがって、例えば、静止画等の画像表示を高輝度で行うことができ、好適である。
【００５３】
図６に示すように、信号処理部２０は、表示データの演算ステップ（ステップＳ１６）を処理するとともに、入力信号ＳＲＧＢの画像解析を行う（ステップＳ１２）。
【００５４】
画像解析部２３は、第（ｐ、ｑ）番目の画素４８における信号値Ｘ１−（ｐ、ｑ）、信号値Ｘ２−（ｐ、ｑ）、信号値Ｘ３−（ｐ、ｑ）及び信号値Ｘ４−（ｐ、ｑ）が、α倍に伸張されていることを解析する。画像解析部２３は、伸長係数αを算出したら、算出した結果を画像処理部２２に送る。
【００５５】
信号処理部２０は、画像解析部２３で画像解析を行い、伸長係数αを算出したら、光量決定部２４により、伸長係数αと画像の入力信号ＳＲＧＢの情報に基づいて、光源装置５０から出力する光の光量、つまり光源装置５０の輝度を算出する（ステップＳ１３）。光量決定部２４は、画像の入力信号ＳＲＧＢの情報に基づいて、伸張されていない状態の画像の輝度と同じ画像の輝度とするためには、伸張係数αに基づき減少させた光源装置５０の光量を算出する。具体的には、光量決定部２４は、光源装置５０の光量を、（１／α）倍とする。
【００５６】
信号処理部２０は、光量決定部２４で決定した光量に基づいて、光源駆動値決定部２６により、光源装置制御部６０で光源装置５０を駆動するため指令値である光源装置制御信号ＳＢＬを決定する（ステップＳ１４）。光源装置制御信号ＳＢＬは、上述したように、光源装置５０の光源の電流又はデューティ比（ｄｕｔｙ比）を制御する指令値である。本実施形態では、光源装置５０の光源に印加する電流のＰＷＭ（パルス幅変調、pulse width modulation）を決定する。
【００５７】
光源駆動値決定部２６は、光量決定部２４で決定した光量と、変換基準データ２８に記憶された関係に基づいて、ＰＷＭを決定し光源装置制御信号ＳＢＬを決定する。ここで、変換基準データ２８に記憶された関係は、光量決定部２４で決定した光量と光源装置の光源のＰＷＭとの関係であり、光量決定部２４で決定した光量が光源装置５０から出力するために必要な光源のＰＷＭの情報が記憶されている。なお、変換基準データ２８に記憶された関係は、テーブルでもよいし、演算式でもよい。
【００５８】
以下、図７から図１１を用いて、変換基準データ２８に記憶された関係について説明する。図７は、光源に印加する入力ＰＷＭと光源装置の輝度との関係を示すグラフである。図８は、入力ＰＷＭと出力ＰＷＭとの関係を示すグラフである。図９は、光源に印加する入力ＰＷＭと光源装置の輝度との関係を示すグラフである。図１０は、入力ＰＷＭと出力ＰＷＭとの関係の調整方法を説明するためのグラフである。図１１は、入力ＰＷＭと出力ＰＷＭとの関係の調整方法を説明するためのグラフである。
【００５９】
まず、表示装置１０は、光量決定部２４で決定した光量に基づいて算出した信号値である入力ＰＷＭと、光源装置５０から実際に出力される光の輝度（ＢＬ輝度）との関係である実特性が、目標特性に対してずれている場合がある。ここで、図７に示す関係は模式的に直線で示しているが、入力ＰＷＭが０の場合、光源装置５０から出力される光の輝度（ＢＬ輝度）は、０となる。つまり、バックライド輝度は、入力ＰＷＭが０に近づくと曲線で変化して０に近づく。また、目標特性は、光量決定部２４で決定した光量に基づいて算出した入力ＰＷＭと、光源装置５０から実際に出力される光の輝度（ＢＬ輝度）との関係が同じ値となる関係、つまり、入力ＰＷＭをｘａとして無次元化し、実際に出力される光の輝度をｙａとして無次元化した場合、ｘａ＝ｙａとなる関係である。
【００６０】
本実施形態の変換基準データ２８に記憶されているデータは、実特性と目標特性との関係のずれを補正するためのデータである。具体的には、入力信号（入力ＰＷＭ）をｘとし、出力信号（出力ＰＷＭ）をｙとし、光源装置（光源）から出力する光量を理論値で算出した場合の関係をｙ＝ｘとした場合、ｙ＝１−（１−ｘ）a＋ｂを満足するようなデータである。入力ＰＷＭであるｘと出力ＰＷＭであるｙは、いずれもＰＷＭ値であり、０％以上１００％以下の範囲、つまり０以上１以下の値である。また、ａ、ｂは、実特性と目標特性との差が最も小さくなるような値とすることが好ましい。ａ、ｂは、ａ≧０、−１≦ｂ≦１を満たすことがさらに好ましい。ここで、入力ＰＷＭは、上述したように、光量決定部２４で決定した光量に基づいて算出した信号値である。また出力ＰＷＭは、光源駆動値決定部２６から出力される信号値である。
【００６１】
図８に示すように、入力信号(入力ＰＷＭ)に対して補正をせずにそのまま出力信号(出力ＰＷＭ)として出力する場合を示すｙ＝ｘ（図８の補正前）に対して、本実施形態の関係は、図８の補正後に示すように、ｙ＝１−（１−ｘ）ａ＋ｂとなる。補正を行わない場合、つまり入力ＰＷＭをそのまま出力ＰＷＭとして出力する場合、図７に示す実特性のように目標特性からずれた輝度となる。これに対して、図８の補正後に示すように、入力ＰＷＭと出力ＰＷＭとの関係がｙ＝１−（１−ｘ）ａ＋ｂとなるように、つまり、光量決定部２４で決定した光量に基づいて、補正を行いつつ信号値を算出することで、図９の相殺値に示すように、実特性と目標特性とのずれを、入力ＰＷＭに対して出力ＰＷＭを補正することで相殺し、入力ＰＷＭとＢＬ輝度との関係を目標特性と一致させることができる。このように、変換基準データ２８に記憶した関係を用いて、光量決定部２４で決定した光量から光源装置制御信号ＳＢＬを決定することで、図９に示すように目標特性の輝度の光を出力させることができる信号を出力させることができる。
【００６２】
ここで、変換基準データ２８に記憶させる関係は、表示装置１０の出力ＰＷＭに相当する光源装置制御信号ＳＢＬを変化させつつ、光源装置５０から出力される輝度を計測したり、シミュレーションしたりすることで、実特性と目標特性のずれを算出し、光量決定部２４で決定した光量と光源装置制御信号ＳＢＬとの関係を決定することで生成することができる。より具体的には、図１０に示すように、入力信号(入力ＰＷＭ)に対して補正をせずにそのまま出力信号(出力ＰＷＭ)として出力する場合を示すｙ＝ｘである基準線１００に対してオフセット補正を行い、基準線１００を平行移動させて、線分１０２や線分１０４とする。また、図１１に示すように、入力信号(入力ＰＷＭ)に対して補正をせずにそのまま出力信号(出力ＰＷＭ)として出力する場合を示すｙ＝ｘである基準線１１０に対して、傾き補正を行い、基準線１１０の傾きを変更して、線分１１２や線分１１４とする。ここで、関係を決定する場合、オフセット補正と傾き補正を行う順番は特に限定されない。また、傾き補正を行う場合、図１１に示すように、入力ＰＷＭと出力ＰＷＭとの両方が１（最大値）となる点を基点とした傾き補正を行うことが好ましい。これにより、画像を明るく表示させる場合により好適な画像を表示させることができる。
【００６３】
タイミング生成部２１からの同期信号ＳＴＭに基づいて、画像表示パネル駆動部４０は、１フレーム毎に画像表示パネル３０に画像を表示し、光源装置制御部６０は、光源装置５０を駆動する。なお、光源駆動値決定部２６は、変換基準データ２８に基づき補正された光源装置の光量に関する情報を画像処理部２２に送出してもよい。例えば、変換基準データ２８に基づき補正された光源装置の光量において、補正しきれなかった実特性とのずれ量に関する情報を画像処理部２２に送出し、画像処理部２２は、実特性とのずれ量に基づいて補正した上で、第（ｐ、ｑ）番目の画素４８における信号値Ｘ１−（ｐ、ｑ）、信号値Ｘ２−（ｐ、ｑ）、信号値Ｘ３−（ｐ、ｑ）及び信号値Ｘ４−（ｐ、ｑ）を出力するよう、出力信号ＳＲＧＢＷを演算する処理を行ってもよい。
【００６４】
以上説明したように、表示装置１０は、画像表示パネル３０と、光源装置５０とを備える。制御部として、信号処理部の演算に応じて、画像表示パネル駆動部４０と、光源装置制御部６０が同期し、画像の入力信号ＳＲＧＢの情報及び変換基準データ２８に基づいて、光源装置５０の駆動を制御する。これにより、光源装置５０のリニアリティを補正した状態で制御を実行することができ、所望の輝度で画像を表示させることができる。
【００６５】
上記実施形態は、入力ＰＷＭとＢＬ輝度が所定の対応関係、例えば、光量決定部で決定した光量を正規化した値と、実際に出力される光の輝度を正規化した値とが１対１で同じ値となるように、実特性と目標特性との関係のずれを補正するためのデータを変換基準データ２８に記憶させ、処理を実行することで、目標の輝度に即した光を光源装置５０から出力させることができる。
【００６６】
ここで、表示装置１０は、光量決定部で決定した光量と、実際に出力される光の輝度とを同じ値とするように関係を設定することに限定されない。図１２は、光源に印加する入力ＰＷＭと光源装置の輝度との関係を示すグラフである。図１３は、入力ＰＷＭと出力ＰＷＭとの関係を示すグラフである。ここで、図１２は、実特性が入力ＰＷＭとＢＬ輝度とが同じ値となる場合としている。表示装置１０は、図１２に示すように、目標特性を入力ＰＷＭよりもＢＬ輝度が高くなる関係とするようにしてもよい。つまり、表示装置１０は、光量決定部２４で決定した光量よりも実際に光源装置５０から出力される光の輝度（ＢＬ輝度）が高くなるようにすることもできる。また、図１３は、入力ＰＷＭと出力ＰＷＭとの両方が０（最小値）となる点を基点とした傾き補正を行っている。このように変換基準データ２８に記憶する関係は、原点を基準として設定してもよい。
【００６７】
表示装置１０は、図１３に示す関係を用い、図１２の目標特性の光を出力させることで、明るい画像を表示させることができる。
【００６８】
また、本発明において、基準記憶データ２８は、決定された光量と実測値とのずれを補正するためのデータであり、当該データは、入力ＰＷＭから補正後の出力ＰＷＭを求めるための所定の演算式でもよいし、補正処理結果に基づく入力ＰＷＭと出力ＰＷＭの対応関係を示すリストデータでもよい。また、基準記憶データを複数記憶していてもよい。つまり、入力ＰＷＭに基づいて出力ＰＷＭを算出する情報（関係）を複数有していてもよい。例えば、演算式を複数有してもよいし、演算式に含まれる変数を適宜変動してもよい。さらに、基準記憶データがリストデータである場合、複数の演算結果に基づき異なるリストデータを複数有してもよい。これにより状況に応じて、入力信号から算出した光量と、光源装置５０から出力させる光量との差を小さくしつつ、所望の光量を出力させることができる。
【００６９】
ここで、信号処理部２０は、温度センサ７０で検出した表示装置１０の温度に基づいて用いる情報を決定してもよい。つまり、情報処理部２０は、温度情報に対応して異なる基準記憶データを有していてもよく、温度に応じて用いる基準記憶データを切り替えてもよい。このように、温度に基づいて用いる情報（基準記憶データ）を切り換えることで、温度によって生じる出力ＰＷＭと光源装置５０の輝度との関係のずれに応じて、算出した光源の光量と出力される光源装置制御信号ＳＢＬとの関係（入力ＰＷＭと出力ＰＷＭとの関係）を補正することができる。これにより、表示装置から所望の輝度の画像をより確実に表示させることができる。
【００７０】
ここで、信号処理部２０は、タイマ部７０で計測した時間、具体的には経過時間に基づいて、用いる情報を決定してもよい。つまり、情報処理部２０は、経過時間の情報に対応して異なる基準記憶データを有していてもよく、経過時間に応じて用いる基準記憶データを切り替えてもよい。このように、経過時間に基づいて用いる情報を切り換えることで、経年劣化によって生じる出力ＰＷＭと光源装置５０の輝度との関係のずれに応じて、算出した光源の光量と出力される光源装置制御信号ＳＢＬとの関係（入力ＰＷＭと出力ＰＷＭとの関係）を補正することができる。これにより、表示装置から所望の輝度の画像をより確実に表示させることができる。
【００７１】
また、表示装置１０は、第４副画素として白画素を用い、４色の副画素を用い、画像に応じて、光源装置５０から出力する輝度を調整するため、実特性と目標特性との関係のずれを補正できることで、目的の画像を高い精度で表示させることができる。表示装置１０は、例えば、ＲＧＢの３色の画素で画像を表示する場合も、上記実施形態のように、変換基準データ２８に記憶された関係を用いて光源装置５０の輝度を制御することで、実特性と目標特性との関係のずれを補正でき、目的の画像を高い精度で表示させることができる。
【００７２】
また、本実施形態の表示装置１０は、透過型のカラー液晶表示装置について説明したが、これに限定されない。本発明の表示装置は、バックライト又はフロントライトのような光源装置を有する反射型・半透過型の液晶表示装置においても適用できる。また、液晶表示装置に限らず、ＯＬＥＤ等の自発光型の表示装置でもよい。なお、ＯＬＥＤの場合、それぞれの発光素子が本実施例の光源装置にあたる。
【００７３】
また、本実施形態の表示装置１０は、画像表示パネル３０の画素４８の４つの副画素である第１副画素４９Ｒと、第２副画素４９Ｇと、第３副画素４９Ｂと、第４副画素４９Ｗと、を１列に配置したが、配置規則はこれに限定されない。例えば、４つの副画素を行列状に配置してもよいし、行、列方向で４つの副画素の配列順が異なってもよいし、一部の副画素が交互に間引かれたような配列となってもよい。
【００７４】
また、本実施形態の表示装置１０は、画像表示パネル３０の画素４８が、４つの副画素である第１副画素４９Ｒと、第２副画素４９Ｇと、第３副画素４９Ｂと、第４副画素４９Ｗを含む構造としたが、これに限定されない。表示装置１０は、画像表示パネル３０の画素４８が３つの副画素、例えば、ＲＧＢの３色の副画素を含むものでもよい。また、表示装置１０は、画像表示パネル３０の画素４８がＲＧＢの３色の副画素に加え、白以外の副画素、また２つ以上の色の副画素を含んでいてもよい。
【００７５】
このように、表示装置１０は、４つの副画素である第１副画素４９Ｒと、第２副画素４９Ｇと、第３副画素４９Ｂと、第４副画素４９Ｗを含む構造以外の場合としても適用可能であり、入力信号（例えばＲＧＢ信号）から異なる出力信号（例えばＲＧＢ信号、ＲＧＢＷ信号）を生成し、出力信号に基づいて光源装置制御信号を生成する信号処理部を有する各種装置に用いることができる。
【００７６】
例えば、入力信号（例えばＲＧＢ信号）から異なる出力信号（例えばＲＧＢ信号）を生成し、出力信号に基づいて光源装置制御信号を生成する方法としては、ＣＡＢＣ（Ｃｏｎｔｅｎｔｓ  Ａｄａｐｔｉｖｅ  Ｂａｃｋｌｉｇｈｔ  Ｃｏｎｔｒｏｌ）がある。この方法では、表示すべき画像の特徴(階調の分布)に合わせてバックライトの輝度の最大輝度に対する比率と表示画像の階調分布設定を制御する。具体的には、全画面白表示のとき（全画素の階調が最大値に分布しているとき）のバックライト輝度と階調分布設定とを基準とし、信号を生成する方法である。ここで、基準とするバックライト輝度は最大レベルであり、基準とする階調分布設定では、出力階調と入力階調とが正比例の関係を示しているものとする。
【００７７】
また、信号処理部は、入力信号（例えばＲＧＢ信号）から、入力信号の階調分布と比例関係にある出力信号（例えばＲＧＢ信号、ＲＧＢＷ信号）を生成（伸張）し、出力信号の変更に基づき光源装置制御信号を生成することが好ましい。また、信号処理部は、ＲＧＢ等の３色の入力信号に基づいて、４色の出力信号を生成し、出力信号の変更に基づき光源装置制御信号を生成することがさらに好ましい。また、本実施形態のように、３色の入力信号に基づいて、４色の出力信号を生成する場合、伸長係数αの算出方法は、本実施形態の処理に限定されず、入力信号と出力信号のRGBの階調分布が比例関係にあるような伸張係数が定めることができればいずれの方式でもよい。
【００７８】
また、ｙ＝１−（１−ｘ）a＋ｂの関係に基づいて、変換基準データ２８を設定する場合、ａ、ｂは、実特性と目標値の差が最小となるように設定することが好ましい。例えば、任意の値を入力して画像を表示させて計測を行った後、実測値と目標特性とを比較し、ａ、ｂの値を調整して、計測を行うことを繰り返し、実特性と目標値の差が最小となるａ、ｂの最適解を特定し、特定したａ、ｂの関係を変換基準データ２８として設定する。これにより、ずれを好適に相殺することができ、所望の画像を表示させることができる。また、輝度が高い、または、入力ＰＷＭ値が大きいほど誤差が視認しやすい輝度の高いほどずれ量の重みづけを大きくするようにしてもよいし、輝度の高い範囲における誤差のみで判断するようにしてもよい。
【００７９】
また、変換基準データ２８は、実際の計測に基づいて設定することに限定されない。例えば、実特性の近似線を検出し、当該近似線と目標特性との差に応じて、ａ、ｂの値を特定し、変換基準データ２８を設定するようにしてもよい。近似直線を決定する際も、輝度が高いまたは入力ＰＷＭ値が大きい部分の誤差が小さくなるように重み付けを行ってもよいし、これらの値が一定値以上の実測値に基づいて検出するようにしてもよい。また、近似直線を用いて、基準データ２８を設定する場合、設定のための演算処理を複数回繰り返してもよい。これにより、より補正の精度を向上させることができる。
【００８０】
本実施形態に係る表示装置１０は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１０は、外部から入力された映像信号或いは内部で生成した映像信号を、画像或いは映像として表示するあらゆる分野の電子機器に適用することが可能である。電子機器は、表示装置１０に映像信号を供給し、表示装置１０の動作を制御する制御装置を備える。
【符号の説明】
【００８１】
１０  表示装置
２０  信号処理部
２１  タイミング生成部
２２  画像処理部
２３  画像解析部
２４  光量決定部
２６  光源駆動値決定部
２８  変換基準データ
２９  タイマ部
３０  画像表示パネル
４０  画像表示パネル駆動部
４１  信号出力回路
４２  走査回路
４８  画素
４９  副画素
４９Ｒ  第１副画素
４９Ｇ  第２副画素
４９Ｂ  第３副画素
４９Ｗ  第４副画素
５０  光源装置
６０  光源装置制御部
７０  温度センサ
【図１】
2015203809.tif 000003
【図２】
2015203809.tif 000004
【図３】
2015203809.tif 000005
【図４】
2015203809.tif 000006
【図５】
2015203809.tif 000007
【図６】
2015203809.tif 000008
【図７】
2015203809.tif 000009
【図８】
2015203809.tif 000010
【図９】
2015203809.tif 000011
【図１０】
2015203809.tif 000012
【図１１】
2015203809.tif 000013
【図１２】
2015203809.tif 000014
【図１３】
2015203809.tif 000015